(57)【特許請求の範囲】
【請求項１】
光学素子を保持する枠体と、前記枠体を保持した枠体保持部材と、前記枠体の対物側又は像側に配置されて前記枠体保持部材に取り付けられ、他の部材が取り付けられる基準部を有する取付部材とを備え、
前記取付部材は、前記対物側から像側に貫通するように開口された開口部を備え、
前記枠体は、前記光学素子の光軸の向き及び前記光軸方向の位置の少なくとも一方を調整し得るように、前記枠体保持部材の所定の軸に対する前記枠体の位置を調整する、前記枠体保持部材と係合した係合部材を有する調整部を備え、
前記調整部は、前記開口部から調整可能な位置に配置され、
前記枠体保持部材は、保持部材本体と、前記保持部材本体に取り付けられ前記枠体を支持した枠支持部とを備え、
前記枠支持部は、枠支持部本体と、前記保持部材本体に前記枠支持部を取り付けるための本体取付部とを備え、
前記枠支持部本体は、前記係合部材が前記光軸方向に移動可能に係合された被係合部を備え、
前記被係合部は、前記光軸方向から見て前記枠支持部本体の中心から前記本体取付部に延された延長線上となる位置に形成され、
前記他の部材は、カメラ本体、又は、前記枠体に保持されている前記光学素子とは別の少なくとも１つの光学素子を有する固定部材であることを特徴とするレンズ鏡胴。
【請求項２】
前記枠体は、前記光学素子を保持する枠本体部を備え、
前記係合部材は、ボルト状であって前記枠本体部の位置を調整し、
前記被係合部は、ネジ孔であり、
前記枠支持部本体は、前記ネジ孔の全周部に形成された凸部を備え、
前記係合部材による前記枠本体部の位置の調整範囲の端において、前記凸部と前記枠本体部とが、前記係合部材の同軸上で互いに当接するように構成されていることを特徴とする請求項１に記載のレンズ鏡胴。
【請求項３】
前記枠支持部は、前記枠支持部本体と前記本体取付部とが互いに前記光軸方向に間隔をあけて、前記枠支持部本体と前記本体取付部とを連結した連結部を備え、
前記枠支持部本体は、前記保持部材本体の内周側に入り込み可能な大きさに形成されていることを特徴とする請求項１又は２に記載のレンズ鏡胴。
【請求項４】
前記枠体は、筒状であり、
前記調整部は、前記枠体の径方向における外側に配置され、
前記枠体は、前記枠体の周方向における前記調整部に対する一方側及び他方側、並びに前記枠体の径方向における前記調整部に対する外側部の少なくとも一箇所に前記調整部と隣接するように配置され前記枠体保持部材と前記枠体とを接着する接着部を備えていることを特徴とする請求項１〜３の何れか一項に記載のレンズ鏡胴。
【請求項５】
前記接着部は、接着剤を充填する接着剤充填部を備え、
前記接着剤充填部は、前記枠体の一部を径方向内側に凹ませて形成され、
前記連結部は、前記枠体における前記接着剤充填部の径方向外側に、前記径方向外側を塞ぐように配置されていることを特徴とする請求項４記載のレンズ鏡胴。
【請求項６】
前記接着剤充填部は、前記開口部から接着剤を充填できるように配置されていることを特徴とする請求項５に記載のレンズ鏡胴。
【請求項７】
前記連結部は、前記枠支持部本体の周方向における少なくとも３箇所に配置され、
前記各連結部は、前記光軸方向に沿って延され前記枠体の径方向外側に配置されることを特徴とする請求項３〜６の何れか一項記載のレンズ鏡胴。
【請求項８】
前記枠体保持部材は、固定筒を備え、
前記枠体は、前記固定筒に保持されていることを特徴とする請求項１〜７の何れか一項記載のレンズ鏡胴。
【請求項９】
前記枠体保持部材は、固定筒と、前記光軸方向に移動可能に前記固定筒に保持された移動枠とを備え、
前記枠体は、前記移動枠に保持されていることを特徴とする請求項１〜７の何れか一項記載のレンズ鏡胴。
【請求項１０】
前記開口部の一部を塞ぐように前記取付部材に取り付けられたカバー部材を、更に備え、
前記調整部は、前記光軸方向から見て前記カバー部材によって覆われていることを特徴とする請求項１〜９の何れか一項に記載のレンズ鏡胴。
【請求項１１】
前記取付部材は、カメラ本体を着脱自在に取り付けるためのマウント部材であることを特徴とする請求項１〜１０の何れか一項に記載のレンズ鏡胴。
【発明の詳細な説明】
【技術分野】
【０００１】
本発明は、レンズ鏡胴に関するものである。
【背景技術】
【０００２】
近年レンズ鏡胴に対する要求品質が高まり、高性能、高信頼性能の両立が求められており、光学性能においては、描写性能を高めるためにレンズの位置等を調整する調整部を備えることが多い。例えば特許文献１に、光軸に対する光学素子の偏心および倒れを調整可能なレンズ鏡胴が開示されている。この特許文献１に開示された調整機構は、最も像側に配置された第４レンズ群保持枠（枠体）の外周に、第４レンズ群保持枠の偏心調整を行う偏心調整用コロ取付部及び第４レンズ群保持枠の倒れ調整を行う倒れ調整用コロ取付部を周方向に３箇所ずつ設け、偏心調整用コロ取付部に取り付けた偏心調整用コロと倒れ調整用コロ取付部に取り付けた倒れ調整用コロを回転操作することにより調整できるようにしたものである。そして、その調整後に、カメラ本体が取り付けられる取付部材としてのマウント部材が、第４レンズ群保持枠を保持した枠体保持部材としての固定筒に対して外装環を介してビスで固定されることにより、マウント部材及び外装環によって偏心調整用コロ取付部に取り付けた偏心調整用コロと倒れ調整用コロ取付部に取り付けた倒れ調整用コロとを覆い隠すようにしたものである。
【先行技術文献】
【特許文献】
【０００３】
【特許文献１】特開２０１３−２３８７９２号公報
【発明の概要】
【発明が解決しようとする課題】
【０００４】
しかしながら、特許文献１では、偏心調整用コロと倒れ調整用コロとを回転操作して第４レンズ群保持枠の偏心調整や倒れ調整を行った後に、取付部材であるマウント部材が固定筒に対して固定されているため、マウント部材の固定に際して部材の歪みなどによって、既に調整された第４レンズ群保持枠（レンズ）の位置等が変化してしまう場合があり、その結果、性能劣化を招く場合がある。
【０００５】
本発明は、取付部材を取り付けた後に、枠体保持部材の所定の軸に対する光学素子における光軸の向き及び光軸方向の位置の少なくとも一方を調整し得、調整後に発生する誤差を低減でき高精度な調整を可能とするレンズ鏡胴の提供を目的とする。
【課題を解決するための手段】
【０００６】
本発明の一態様に係るレンズ鏡胴は、光学素子を保持する枠体と、前記枠体を保持した枠体保持部材と、前記枠体の対物側又は像側に配置されて前記枠体保持部材に取り付けられ、他の部材が取り付けられる基準部を有する取付部材とを備え、前記取付部材は、前記対物側から像側に貫通するように開口された開口部を備え、前記枠体は、前記光学素子の光軸の向き及び前記光軸方向の位置の少なくとも一方を調整し得るように、前記枠体保持部材の所定の軸に対する前記枠体の位置を調整する調整部を備え、前記調整部は、前記開口部から調整可能な位置に配置され、前記調整部は、前記枠体保持部材と係合した係合部材を備え、前記枠体保持部材は、保持部材本体と、前記保持部材本体に取り付けられ前記枠体を支持した枠支持部とを備え、前記枠支持部は、枠支持部本体と、前記保持部材本体に前記枠支持部を取り付けるための本体取付部とを備え、前記枠支持部本体は、前記係合部材が前記光軸方向に移動可能に係合された被係合部を備え、前記被係合部は、前記光軸方向から見て前記枠支持部本体の中心から前記本体取付部に延された延長線上となる位置に形成され、前記他の部材は、カメラ本体、又は、前記枠体に保持されている前記光学素子とは別の少なくとも１つの光学素子を有する固定部材であることを特徴とする。
【０００７】
この構成によれば、取付部材を取り付けた状態で取付部材の開口部から調整部が調整され、枠体保持部材に対する光学素子の位置調整が行われる。これにより、取付部材の取り付けによる部品の歪み等によって枠体保持部材に対する光学素子の位置ずれが防止され、光学素子の位置調整が高精度で行われる。従って、例えば取付部材の基準部を基準にして取り付けられた他の部材に対する光学素子の位置調整が正確なものとなる。また、本体取付部に対して枠支持部本体の変形がより一層、生じ難くなり、光学素子の位置調整がより一層、高精度で行われる。
【０００８】
他の一態様では、前記枠体は、前記光学素子を保持する枠本体部を備え、前記係合部材は、ボルト状であって前記枠本体部の位置を調整し、前記被係合部は、ネジ孔であり、前記枠支持部本体は、前記ネジ孔の全周部に形成された凸部を備え、前記係合部材による前記枠本体部の位置の調整範囲の端において、前記凸部と前記枠本体部とが、前記係合部材の同軸上で互いに当接するように構成されていることを特徴とする。
【０００９】
この構成によれば、調整範囲の端まで係合部材が回された際に枠支持部が変形するのを最小限に抑えている。
【００１２】
他の一態様では、前記レンズ鏡胴において、前記枠支持部は、前記枠支持部本体と前記本体取付部とが互いに前記光軸方向に間隔をあけて、前記枠支持部本体と前記本体取付部とを連結した連結部を備え、前記枠支持部本体は、前記保持部材本体の内周側に入り込み可能な大きさに形成されていることを特徴とする。
【００１３】
この構成によれば、枠支持部本体が保持部材本体の内周側に配置可能になり、枠支持部が効率よく配置され、レンズ鏡胴の小型化が図られる。
【００１４】
他の一態様では、前記レンズ鏡胴において、前記枠体は、筒状であり、前記調整部は、前記枠体の径方向における外側に配置され、前記枠体は、前記枠体の周方向における前記調整部に対する一方側及び他方側、並びに前記枠体の径方向における前記調整部に対する外側部の少なくとも一箇所に前記調整部と隣接するように配置され前記枠体保持部材と前記枠体とを接着する接着部を備えていることを特徴とする。
【００１５】
この構成によれば、調整後に衝撃が加わっても調整のずれが生じるおそれが少なく、或いは、枠支持部と枠体との固定が外れるおそれが少なくなる。
【００１６】
他の一態様では、前記レンズ鏡胴において、前記接着部は、接着剤を充填する接着剤充填部を備え、前記接着剤充填部は、前記枠体の一部を径方向内側に凹ませて形成され、前記連結部は、前記枠体における前記接着剤充填部の径方向外側に、前記径方向外側を塞ぐように配置されていることを特徴とする。
【００１７】
この構成によれば、枠体と枠体保持部材との間に接着剤を塗布することができ、高い接着強度が得られる。また、枠体の位置に関わらず一定量の接着剤を塗布することができ、安定した接着力が得られる。
【００１８】
他の一態様では、前記レンズ鏡胴において、前記接着剤充填部は、前記開口部から接着剤を充填できるように配置されていることを特徴とする。
【００１９】
この構成によれば、取付部材を外さずに接着剤を塗布でき、取付部材の脱着による部材の変形が少なく、高い調整精度が得られる。
【００２０】
他の一態様では、前記レンズ鏡胴において、前記連結部は、前記枠支持部本体の周方向における少なくとも３箇所に配置され、前記各連結部は、前記光軸方向に沿って延され前記枠体の径方向外側に配置されることを特徴とする。
【００２１】
この構成によれば、枠支持部が軽量化されるとともに、省スペース化が図られ、製品の大型化を防止できる。
【００２２】
他の一態様では、前記レンズ鏡胴において、前記枠体保持部材は、固定筒を備え、前記枠体は、前記固定筒に保持されていることを特徴とする。
【００２３】
この構成によれば、取付部材を取り付けた状態で取付部材の開口部から調整部が調整され、固定筒に対する光学素子の位置調整が行われ、これにより、取付部材の取り付けによる部品の歪み等によって固定筒に対する光学素子の位置ずれが防止され、光学素子の位置調整が高精度で行われる。
【００２４】
他の一態様では、前記レンズ鏡胴において、前記枠体保持部材は、固定筒と、前記光軸方向に移動可能に前記固定筒に保持された移動枠とを備え、前記枠体は、前記移動枠に保持されていることを特徴とする。
【００２５】
この構成によれば、枠体が保持された移動枠に対する光学素子の位置調整が行われ、これにより、取付部材の取り付けによる部品の歪み等によって移動枠に対する光学素子の位置ずれが防止され、枠体が移動枠に保持された場合においても光学素子の位置調整が高精度で行われる。
【００２６】
他の一態様では、前記レンズ鏡胴において、前記開口部の一部を塞ぐように前記取付部材に取り付けられたカバー部材を、更に備え、前記調整部は、前記光軸方向から見て前記カバー部材によって覆われていることを特徴とする。
【００２７】
この構成によれば、調整部が開口部から露見されず、例えばユーザ等に誤って操作されるおそれが少なくなり、レンズ鏡胴が高品位を維持できる。又、カバー部材は、取付部材に取り付けられるため、調整部の調整が行われた後に取付部材に取り付けられてもその取り付けにより調整ずれを起こすおそれが少ない。
【００２８】
他の一態様では、前記レンズ鏡胴において、前記取付部材は、カメラ本体を着脱自在に取り付けるためのマウント部材であることを特徴とする。
【００２９】
この構成によれば、マウント部材を取り付けた状態でマウント部材の開口部から調整部が調整され、枠体保持部材に対する光学素子の位置調整が行われ、マウント部材の取り付けによる部品の歪みやマウント部材自身の誤差による光学素子の位置ずれが防止され、光学素子の位置調整が高精度で行われる。従って、例えばマウント部材の基準部を基準にして取り付けられたカメラ本体に対する光学素子の位置調整が正確なものとなる。
【発明の効果】
【００３０】
本発明のレンズ鏡胴は、取付部材を取り付けた後に、枠体保持部材に対する光学素子の光軸の向きと光軸方向の位置との少なくとも一方を調整し得、調整後に発生する誤差を低減でき高精度な調整を可能とする。
【図面の簡単な説明】
【００３１】
【図１】本発明の第１実施形態のレンズ鏡胴の断面図である。
【図２】図１のレンズ鏡胴の要部の拡大断面図である。
【図３】図２のレンズ鏡胴の要部から一部を省略した分解斜視図である。
【図４】図１のレンズ鏡胴に用いられる第４レンズ保持枠と枠支持部とを組み付けた状態の斜視図である。
【図５】図１のレンズ鏡胴に用いられるマウント部材の開口部を光軸方向から見た図である。
【図６】第４レンズ保持枠の背面図である。
【図７】第４レンズ保持枠の正面図である。
【図８】（ａ）は、枠支持部と第４レンズ保持枠との位置関係を示す断面図、（ｂ）は、図８（ａ）の状態から枠支持部が第４レンズ保持枠に対して対物側に移動した状態の断面図、（ｃ）は、図８（ａ）の状態から枠支持部が第４レンズ保持枠に対して像側に移動した状態の断面図である。
【図９】第１実施形態のレンズ鏡胴の変形例の要部の拡大半断面図である。
【図１０】図９のレンズ鏡胴の第４レンズ保持枠と枠支持部とを組み付けた状態の斜視図である。
【図１１】図９のレンズ鏡胴のマウント部材の開口部を光軸方向から見た図である。
【図１２】（ａ）は、図９のレンズ鏡胴の枠支持部と第４レンズ保持枠との位置関係を示す断面図、（ｂ）は、図１２（ａ）の状態から枠支持部が第４レンズ保持枠に対して対物側に移動した状態の断面図、（ｃ）は、図１２（ａ）の状態から枠支持部が第４レンズ保持枠に対して像側に移動した状態の断面図である。
【図１３】第２実施形態のレンズ鏡胴の断面図である。
【図１４】図１３の第２実施形態のレンズ鏡胴の変形例の要部の断面図である。
【発明を実施するための形態】
【００３２】
以下、本発明の実施の形態について、図面を参照しながら詳細に説明する。図１は、本発明の第１実施形態のレンズ鏡胴の断面図、図２は、図１のレンズ鏡胴の要部の拡大断面図、図３は、図２のレンズ鏡胴の要部から一部を省略した分解斜視図である。尚、図のＸ方向を対物側とし、Ｙ方向を像側として説明する。
【００３３】
第１実施形態のレンズ鏡胴１は、図１に示すように枠体保持部材２、２０と、カム筒３と、マウント部材（取付部材）８と、カバー部材９と、レンズ群５１〜５４を保持したレンズ群保持枠５ａ〜５ｄとを備えている。
【００３４】
枠体保持部材は、固定筒（保持部材本体）２と、レンズ群保持枠５ａ〜５ｄにおける後述の第４レンズ群保持枠（枠体）５ｄを保持した枠支持部２０とを備えている。
【００３５】
固定筒２は、金属製の円筒状の第１固定筒２１と、第１固定筒２１の像側の端部に固定的に連結された合成樹脂製の円筒状の第２固定筒２２とを備えている。
【００３６】
第１固定筒２１は、軸方向に沿って、内周から外周に貫通されるように形成されたガイド溝２１２を備えている。
【００３７】
第２固定筒２２は、図２、図３に示すように軸方向における像側の端面に、枠支持部２０を取り付ける枠取付部２２１を備えている。枠取付部２２１は、この実施形態では、取付ボルト２２２が螺合するネジ孔からなる。
【００３８】
そして、この実施形態の第２固定筒２２は、金属製の略円筒状の補強部材４の内周に収納された状態で、補強部材４にボルト（図示せず）によって固定的に連結されている。尚、この実施形態の補強部材４は、外周側に配設された外装部材５によって外周が覆われている（図３では、外装部材５を省略されている。）。
【００３９】
枠支持部２０は、板状環状体からなる枠支持部本体２０１と、枠支持部本体２０１を第２固定筒２２に取り付ける複数（この実施形態では３つ）の本体取付片（本体取付部）２０２と、枠支持部本体２０１と本体取付片２０２とを連結した連結部２０３とを備えている。又、枠支持部２０は、省スペースで且つ強度を確保するために金属プレス部材で構成するのが好ましいが、樹脂成型部材にて構成してもよい。
【００４０】
枠支持部本体２０１は、外径が第２固定筒２２の内周に入り込み得る大きさに形成されており、周方向に沿って等間隔に配置された３つネジ孔（被係合部）２０１ａを備えている。
【００４１】
本体取付片２０２は、枠支持部本体２０１の周方向に沿って等間隔の３箇所に配置されており、各本体取付片２０２は、取付ボルト２２２を挿通する円形状のボルト挿通孔２０２ａを備えている。また、図４に示すように、３箇所の各本体取付片２０２は枠体の外径をＤカット状に切り欠いたスペースにその連結部２０３が配置されており、外側にある固定筒本体の小径化を実現している。
【００４２】
又、図５に示すように本体取付片２０２は、光軸方向（Ｘ−Ｙ方向）から見て枠支持部本体２０１の中心Ｏから本体取付片２０２（この実施形態では、ボルト挿通孔２０２ａ）
に延した延長線ｐ上にネジ孔２０１ａがくるように形成されている。
【００４３】
連結部２０３は、図２に示すように枠支持部本体２０１の外周縁から枠支持部本体２０１の軸方向（光軸方向）に沿って像側に所定長さで延されている。この実施形態では、連結部２０３は、枠支持部本体２０１の外周縁から像側に折り曲げられており、本体取付片２０２は、連結部２０３の像側の端部から枠支持部本体２０１の径方向外側に折り曲げられ、これにより、枠支持部本体２０１と本体取付片２０２と連結部２０３とが一体的に形成されている。
【００４４】
そして、このように構成された枠支持部２０は、図１、図２に示すように、枠支持部本体２０１が」第２固定筒２２の内周に像側から入れられ、本体取付片２０２のボルト挿通孔２０２ａに取付ボルト２２２が挿通されるとともに、その挿通された取付ボルト２２２が第２固定筒２２の枠取付部２２１に螺合されることにより、第２固定筒２２の像側の端面に取り付けられている。
【００４５】
次に、マウント部材８について説明する。マウント部材８は、このレンズ鏡胴１をカメラ本体（図示せず、他の部材）に着脱自在に取り付けるためのもので、中心部に形成された開口部８２と、カメラ本体を取り付ける基準面（基準部）８１とを備えている。
【００４６】
開口部８２は、マウント部材８の中心部が対物側から像側に貫通されて光軸方向に光を通過可能に形成されており、レンズ群５１〜５４を通ってきた光をカメラ本体に導くことができるようになっている。又、開口部８２には、このレンズ鏡胴１とカメラ本体とを電気的に接続してレンズ鏡胴１からカメラ本体に情報を送信する電気接点部８４が付設されている。
【００４７】
基準面８１は、マウント部材８の像側の端面に、略全周に亘って形成されている。
【００４８】
そして、マウント部材８は、補強部材４に固定ボルト８３によって固定的に取り付けられている。これにより、マウント部材８は、補強部材４を介して第２固定筒２２に固定されている。
【００４９】
カバー部材９は、略円筒状を呈しており、内周径がマウント部材８の開口部８２における光学的に使用する範囲以外を覆い得る大きさに形成されている。そして、このカバー部材９は、外周がマウント部材８の内周に嵌め入れられるようにして取り付けられている。
【００５０】
本実施形態では取付部材（マウント部材）に対してカメラ本体と接続して使用しているが、取付部材に取り付ける部材は、前記枠体に保持されている光学素子とは別の少なくとも１つの光学素子を有する固定部材であってもよい。
【００５１】
この構成においても、取付部材を取り付けた状態で取付部材の開口部から調整部が調整され、固定筒の所定の軸に対する枠体が保持する光学素子の位置調整が行われ、取付部材の取り付けによる部品の歪みや取付部材自体の部品誤差等によって基準部に対する光学素子の位置ずれが防止され、枠体に保持された光学素子の位置調整が高精度で行われる。従って、取付部材の基準部を基準にして取り付けられた前記固定筒に対しても光学素子の位置調整が正確なものとなる。
【００５２】
次に、カム筒３について説明する。カム筒３は、レンズ群を光軸方向に移動操作するもので、この実施形態では、第２レンズ群５２を光軸方向に移動操作する。カム筒３は、円筒体からなり、図１に示すように第２レンズ群５２の案内軸５２１が移動可能に入り込んだカム溝３１を備えている。このカム溝３１は、軸方向に傾斜するように形成されている。
【００５３】
そして、このように形成されたカム筒３は、第１固定筒２１における像側の一部の外周に、第１固定筒２１に軸方向移動不能に且つ光軸回り（第１固定筒２１の軸回り）に回動自在に保持されている。
【００５４】
レンズ群保持枠は、この実施形態では、対物側から像側に順に配置された第１レンズ群保持枠５ａ、第２レンズ群保持枠５ｂ、第３レンズ群保持枠５ｃ及び第４レンズ群保持枠（枠体）５ｄとを備えている。
【００５５】
第１レンズ群保持枠５ａは、１又は複数のレンズ（光学素子）を有する第１レンズ群５１を保持し、第１固定筒２１に固定的に保持されている。
【００５６】
第２レンズ群保持枠５ｂは、１又は複数のレンズを有する第２レンズ群５２を保持し、第１固定筒２１に、光軸方向（Ｘ−Ｙ方向、第１固定筒２１の軸方向）に移動可能に保持されている。この第２レンズ群保持枠５ｂは、外周に、第１固定筒２１のガイド溝２１２及び後述のカム筒３のカム溝３１に移動可能に入れられた案内軸５２１を備え、この案内軸５２１がカム筒３の回動に伴ってガイド溝２１２及びカム溝３１に沿って案内移動させられることにより第２レンズ群５２が光軸方向に移動する。
【００５７】
詳しくは、レンズ鏡胴１は、カム筒３を回動操作する回動操作部材３３、３４、３５によって、カム筒３が回動操作され、そのカム筒３の回動に伴い、第２レンズ群５２が光軸方向に移動する。この実施形態の回動操作部材は、マニュアル操作部材３３と、オートフォーカス操作部材３４と、出力リング３５とを備えている。
【００５８】
オートフォーカス操作部材３４は、第１固定筒２１に保持されたオートフォーカス用モータ３４１と、オートフォーカス用モータ３４１とギアを介して連動可能に連結されたオート用入力リング３４２とを備えている。
【００５９】
オートフォーカス用モータ３４１は、この実施形態では、第１ギア３４１ａを有する出力軸３４１ｂを備えている。
【００６０】
オート用入力リング３４２は、円筒状のものから構成されており、外周に、出力軸３４１ｂの第１ギア３４１ａと噛合する第２ギア３４２ａを備えている。又、オート用入力リング３４２は、その像側の面に、後述の出力リング３５の転動ローラー３５１ｂが転動する第１ローラー転動部３４２ｂを備えている。
【００６１】
そして、オート用入力リング３４２は、第１固定筒２１の外周に、第１固定筒２１の軸まわりに回動自在に配設されている。
【００６２】
マニュアル操作部材３３は、手動でカム筒３を回動操作するもので、マニュアル用入力リング３３１と、マニュアル用入力リング３３１を操作するマニュアル操作リング３３２とを備えている。マニュアル用入力リング３３１は、リング板状のものから構成されており、対物側の面に、後述の出力リング３５の転動ローラー３５１ｂが転動する第２ローラー転動部３３１ａを備えている。
【００６３】
そして、このマニュアル用入力リング３３１は、オート用入力リング３４２と所定間隔隔ててオート用入力リング３４２の像側に、第１固定筒２１の軸まわりに回動自在に配設されている。
【００６４】
マニュアル操作リング３３２は、円筒状のものから構成され、内周側に、一体的に形成されたフランジからなる操作部３３２ａを備えている。この操作部３３２ａは、マニュアル用入力リング３３１を像側から、入力リング付勢バネ３３２ｃを介してマニュアル用入力リング３３１を操作する。
【００６５】
出力リング３５は、円筒状のものから構成されている。この出力リング３５には、出力リング３５に保持された３つ（図１では、１つだけが表れている）の連動部材３５１が付設されている。
【００６６】
連動部材３５１は、出力リング３５と上記オート用入力リング３４２とを連動させるとともに、出力リング３５と上記マニュアル用入力リング３３１とを連動させるもので、連動部材３５１の夫々は、ローラー軸３５１ａと、ローラー軸３５１ａに回動自在に支持された転動ローラー３５１ｂとを備えている。
【００６７】
又、出力リング３５は、図示しない連結部材によってカム筒３と連結されている。そして、出力リング３５は、第１固定筒２１の軸方向におけるオート用入力リング３４２とマニュアル用入力リング３３１との間且つ第１固定筒２１の外周側に、第１固定筒２１の軸まわり（光軸まわり）に回動自在に配設されている。
【００６８】
又、この状態で、転動ローラー３５１ｂは、オート用入力リング３４２の第１ローラー転動部３４２ｂとマニュアル用入力リング３３１の第２ローラー転動部３３１ａとの間に配設され、入力リング付勢バネ３３２ｃによって両者に加圧状態で挟持されている。
【００６９】
そして、オートフォーカス操作部材３４によって第２レンズ群５２を可動させる場合は、レンズ鏡胴１に設けられたオートフォーカススイッチ３４３を入り操作する。これにより、オートフォーカス用モータ３４１が作動する。
【００７０】
このオートフォーカス用モータ３４１の作動に伴って、第１ギア３４１ａと噛合したオート用入力リング３４２が回動する。また、この回動に伴い、転動ローラー３５１ｂが第１ローラー転動部３４２ｂを転動する。その際、転動ローラー３５１ｂが第１ローラー転動部３４２ｂとマニュアル用入力リング３３１の第２ローラー転動部３３１ａとに挟持されているとともに、マニュアル用入力リング３３１が入力リング付勢バネ３３２ｃの付勢力等によって回動が規制されているため、転動ローラー３５１ｂは自転しながら、第１固定筒２１のまわりを公転し、これにより、転動ローラー３５１ｂを保持した出力リング３５が回動する。
【００７１】
そして、その出力リング３５の回動に伴い、カム筒３が回動する。又、カム筒３の回動によって、第１固定筒２１のガイド溝２１２及びカム筒３のカム溝３１夫々に入り込んだ案内軸５２１がそれらの溝２１２，３１を移動し、これにより、第２レンズ群５２が第１固定筒２１の光軸方向に移動する。
【００７２】
一方、オートフォーカススイッチ３４３を切り操作した状態から、マニュアル操作リング３３２を手で回動操作する。これにより、マニュアル用入力リング３３１が回動し、第２ローラー転動部３３１ａを転動ローラー３５１ｂが転動する。その際、転動ローラー３５１ｂを挟持したオート用入力リング３４２は、オートフォーカス用モータ３４１と噛合して回動できないため、転動ローラー３５１ｂは自転しながら、第１固定筒２１のまわりを公転し、出力リング３５全体が回動する。以下、上述したと同様に、カム筒３が回動して第２レンズ群５２が第１固定筒２１の光軸方向に駆動できる。
【００７３】
次に、第３レンズ群保持枠５ｃについて説明する。第３レンズ群保持枠５ｃは、１又は複数のレンズを有する第３レンズ群５３を保持し、第２固定筒２２に固定的に保持されている。
【００７４】
第４レンズ群保持枠（枠体）５ｄは、図２、図３に示すように、１又は複数のレンズを有する第４レンズ群５４を保持した筒状の枠本体部５５と、第４レンズ群５４の光軸方向の傾き及び光軸方向の位置を調整する調整部５６を備えている。
【００７５】
調整部５６は、この実施形態では、枠本体部５５の周方向に沿って等間隔に３箇所に配置されている。各調整部５６は、枠本体部５５に形成された係合部材保持部５６１と、係合部材保持部５６１に保持されたボルト状の係合部材５６２と、枠本体部５５を付勢する付勢部材５６３とを備えている。尚、調整部５６は、第４レンズ群５４の光軸方向の傾き及び光軸方向の位置の少なくとも一方を調整できるものであればよく、適宜変更できる。
【００７６】
係合部材保持部５６１は、枠本体部５５の一部を光軸方向に貫通するように形成された係合部材挿通孔５６１ａを備えている。この係合部材挿通孔５６１ａは、図２に示すように、枠本体部５５の中心Ｏからのピッチ半径ｒ２がマウント部材８の開口部８２の半径ｒ１よりも小さく、且つ、カバー部材９の最小部の半径ｒ３よりも大きくなる位置に形成されている。
【００７７】
係合部材５６２は、軸部５６２ａと、頭部５６２ｂとを備えている。軸部５６２ａは、係合部材挿通孔５６１ａに挿通可能な径に形成されており、軸部５６２ａの外周に、枠支持部本体２０１のネジ孔２０１ａに螺合する雄ネジ部５６２ｃを備えている。
【００７８】
頭部５６２ｂは、係合部材挿通孔５６１ａよりも径大に形成され、先端に、工具と係脱自在に係合して係合部材５６２を回動操作する操作部５６２ｄ（図５に図示）を備えている。
【００７９】
この操作部５６２ｄは、図５に示すように光軸方向の像側から見てマウント部材８の開口部８２の径方向内側に位置し、マウント部材８の開口部８２から操作できるようになっている。
【００８０】
付勢部材５６３は、図２、図３に示すように、内周部に、枠本体部５５に設けられた付勢部材用挿入部５５１を受容可能な大きさのコイルスプリングから構成されている。そして、付勢部材５６３は、枠本体部５５に設けられた付勢部材用挿入部５５１が内周に挿入された状態で配設されている。
【００８１】
詳しくは、枠本体部５５は、係合部材挿通孔５６１ａを囲むように枠本体部５５から対物側に、付勢部材５６３の内周に入り込み可能な外径で円筒状に突設された付勢部材用挿入部５５１を備えている。
【００８２】
そして、付勢部材５６３の内周に付勢部材用挿入部５５１が挿入され、付勢部材５６３の軸方向の像側の一方端の位置が保持されるとともに枠本体部５５に当接し、他方端が枠支持部本体２０１のネジ孔２０１ａの周部に当接しており、これにより、付勢部材５６３は、常時、枠本体部５５を枠支持部本体２０１に対して光軸方向の像側に付勢している。
【００８３】
又、枠体側面におけるネジ孔２０１ａの全周部に凸部２０１ｂが前記付勢部材５６３の内周に入り込み可能な形状で形成されている。付勢部材５６３は内径が凸部２０１ｂの外形に係合することで付勢部材５６３の一端の位置を保持している。凸部２０１ｂと枠本体部５５とが当接することで調整範囲端のメカ当たり位置を兼ねている。本実施例では調整部５６の同軸上にメカ当り位置を設けることで調整端まで係合部材５６２が回された際に枠支持部２０が変形するのを最小限に抑えている。メカ当り位置は本実施例のように調整部５６の近い位置に設けるのが好ましいが、同軸上でなくともよい。
【００８４】
このように構成された調整部５６は、例えば３つの係合部材５６２の内の１つ又は２つが回動操作されることにより、第４レンズ群保持枠５ｄ（第４レンズ群５４）の軸（光軸）の向き（傾き）が調整される。又、３つの係合部材５６２の全部を同じ量だけ回動操作されることにより、第４レンズ群保持枠５ｄ（第４レンズ群５４）が光軸方向に移動して光軸方向の位置が調整される。尚、係合部材５６２は、調整後に枠支持部本体２０１に対して回転しないように頭部５６２ｂを接着してもよい。
【００８５】
又、この実施形態の第４レンズ群保持枠５ｄは、枠本体部５５の周方向における調整部５６の両側の近傍に、調整部５６と隣接するように形成された接着部５７を備えている。
【００８６】
この実施形態の接着部５７は、接着剤５８を充填する接着剤充填部５７ｂを備えている。接着剤充填部５７ｂは、枠本体部５５の周方向における調整部５６の両側の一部を、枠本体部５５の像側の端面から光軸方向に所定の深さで、枠本体部５５の径方向内側に凹ませるようにして形成されており、枠本体部５５の像側の端面側に接着剤充填口５７ａを備えている。
【００８７】
なお、接着部５７は調整部５６にできるだけ近い方が望ましいが調整部近傍であれば調整部５６の外径側でも構わない。また、接着部５７は複数設けてもよい。たとえば調整部５６の外径に１か所設けてもよいが本実施例のように径方向に隣接させて接着部５７を配置した場合には接着剤充填部５７ｂのスペースを確保するために調整部５６と本体取付片２０２との距離が離れ固定筒が大径化する。本実施例では上述の通り調整部５６の周方向に隣接させて接着部５７を配置することで固定筒の小径化を実現している。
【００８８】
この接着剤充填口５７ａも、図５に示すように、光軸方向の像側から見てマウント部材８の開口部８２の径方向内側に位置し、マウント部材８の開口部８２から接着剤充填口５７ａに接着剤５８を充填できるようになっている。
【００８９】
そして、この接着剤充填部５７ｂは、図４に示すように第４レンズ群保持枠５ｄが固定筒の枠支持部２０の枠支持部本体２０１に係合部材５６２によって係合されると、外周側が枠支持部本体２０１の連結部２０３によって覆われた状態になる。
【００９０】
次に、この調整部５６の動作について説明する。第４レンズ群保持枠５ｄが固定筒の枠支持部２０の枠支持部本体２０１に調整部５６の係合部材５６２によって係合されるとともに、マウント部材８が補強部材４を介して第２固定筒２２に固定された状態で、例えばマウント部材８の基準面８１を基準にして、係合部材５６２を回動操作して基準面８１に対する、第４レンズ群保持枠５ｄに保持された第４レンズ群５４の光軸の向き（傾き）と光軸方向の位置とを調整する。
【００９１】
この調整は、開口部８２から工具を係合部材５６２の操作部５６２ｄに係合するようにして行う。
【００９２】
そして、調整終了後、マウント部材８の開口部８２から接着剤充填口５７ａに接着剤５８を充填する。この接着剤５８の充填も開口部８２から行うため、マウント部材８を取り付けた状態で行うことができる。
【００９３】
又、その際、第４レンズ群５４が固定筒の枠支持部２０に対して光軸方向に移動して接着部５７が光軸方向に移動しても、接着部５７を覆った枠支持部２０の連結部２０３における光軸方向の長さが接着部５７の深さよりも大きいため、接着部５７が浅くなるようなことがなく、常時一定量の接着剤が充填される。例えば第４レンズ群５４が図８（ａ）に示す状態から、図８（ｂ）に示すように枠支持部２０に対して対物側に移動し、或いは、、図８（ｃ）に示すように枠支持部２０に対して像側に移動しても、接着部５７の深さは変わらない。これにより、第４レンズ群保持枠５ｄと固定筒の枠支持部２０とが強固に接着される。
【００９４】
その後、マウント部材８の開口部８２に、カバー部材９が取り付けられる。カバー部材９が取り付けられた状態で、調整部５６は、光軸方向から見てカバー部材９で覆われ、これにより、係合部材５６２がユーザ等に誤って操作されるおそれが少なくなる。又、その際、カバー部材９は、マウント部材８に対して材料や形状により部品強度が弱く取り付けによりマウント部材を変形させることはない。本実施例ではマウント部材８が金属材料で構成されているのに対して、カバー部材９は樹脂材料で構成されており、また肉厚も薄いことからマウント部材８よりも強度が弱い。またマウント部材８の補強部材４の取付部に対してカバー部材９の取付位置は離れており、カバー部材９を取り付けることで補強部材４を変形させることはない。よって、調整部５６の調整が行われた後にカバー部材９がマウント部材８に取り付けられてもその取り付けにより調整ずれを起こすおそれが少ない。
【００９５】
このように構成されたレンズ鏡胴１は、マウント部材８の基準面８１にカメラ本体の一部が当接するようにカメラ本体に取り付けられて使用される。このようにしてカメラ本体に取り付けられたレンズ鏡胴１は、マウント部材８の基準面８１を基準にして、第４レンズ群保持枠５ｄに保持された第４レンズ群５４の光軸の向き（傾き）と光軸方向の位置とが調整されているため、レンズ鏡胴１のレンズ群がカメラ本体に設けた撮像素子等に対して正確に位置合わせされた状態になる。カメラ本体に対する光学素子の調整誤差を低減するために、本実施例ではマウント部材の基準部を基準にして調整を実施しているが、構成の都合によっては固定筒の一部を基準にして光学素子の位置調整を実施してもよい。その場合の調整基準は、マウント部材の基準部に対する誤差の少ない部分を基準とするのが望ましい。
【００９６】
尚、上記第１実施形態では、接着部５７は枠本体部５５の周方向における調整部５６の両側に隣接して配置されたが、この形態のものに限らず、例えば接着部５７は枠本体部５５の周方向における調整部５６の一方側、他方側、及び枠本体部５５の径方向における調整部５６の外側部の何れか一方に形成されてもよく、適宜変更できる。また、周方向側面には限らず調整部の外径側や内径側に形成してもよい。ただし接着部の位置は調整部に対してできるだけ近い方が調整部の固定に対して有効である。
【００９７】
又、接着部５７は、枠本体部５５の周方向における調整部５６と所定距離だけ離れた位置に形成されてもよい。又、枠体の固定方法は接着だけではなく別の方法でもよい。例えば図９〜図１２に示すように、軸部材５７２により枠体の固定をおこなってもよい。詳しくは、例えば図９〜図１２に示すように、軸部材５７２による枠体の固定部５７０は、枠本体部５５の周方向における調整部５６と所定距離だけ位置（この実施形態では周方向に等間隔に３箇所）に形成された軸受容孔５７１と、軸受容孔５７１に入り込む軸部材５７２とを備えている。
【００９８】
軸部材５７２は、軸方向における対物側に、枠支持部２０の枠支持部本体２０１に設けられた軸部材用ネジ孔２０１ｃに螺合した雄ネジ部５７２ａを備えている。又、軸部材５７２は、軸方向における像側に、軸受容孔５７１に入り込む受容軸部５７２ｂを備えており、終端には工具と係脱自在に係合して係合部材５６２を回動操作する操作部５７２ｄ（図１１に図示）を備えている。この操作部５７２ｄは、図１１に示すように光軸方向の像側から見てマウント部材８の開口部８２の径方向内側に位置し、マウント部材８の開口部８２から操作できるようになっている。
【００９９】
この受容軸部５７２ｂは、その外径が軸受容孔５７１の内径よりも小さく、受容軸部５７２ｂが軸受容孔５７１に入り込むことで軸部材５７２がガイドされると共に、受容軸部５７２ｂの外周と軸受容孔５７１の内周との間に全周に亘って、軸部材５７２位置調整後の雄ネジ部５７２ａ緩み止め目的の接着剤５８が充填される充填剤受容部５７３が形成されている。
【０１００】
又、軸部材５７２は、軸方向における雄ネジ部５７２ａと受容軸部５７２ｂとの間に、枠本体部５５に当接する枠本体当接部５７２ｃを備えている。枠本体当接部５７２ｃは、枠本体部５５の対物側における軸受容孔５７１の周縁部に当接し、これにより、枠体を枠体保持部に対して対物側へ移動しないよう保持するとともに、充填剤受容部５７３が対物側から塞がれている。
【０１０１】
このように構成された軸部材５７２は、雄ネジ部５７２ａが枠支持部本体２０１の軸部材用ネジ孔２０１ｃに螺合して受容軸部５７２ｂが軸受容孔５７１に対物側から入り込むとともに、枠体調整時には枠本体部５５が光軸方向に移動可能なように対物側へ退避されており、調整が終わった後で軸部材５７２を回動し像側へ移動させることで枠本体当接部５７２ｃを枠本体部５５に当接させて枠体が対物側へ移動しないよう保持する。枠本体部は係合部材５６２の頭部５６２ｂが当接することで像側への移動が規制されているため、軸部材により対物側への移動も規制されることで光軸方向への固定が可能となる。さらに、枠本体当接部５７２ｃが枠本体部５５の軸受容孔５７１の周縁部に当接した状態で、軸部材の緩み止めのため充填剤受容部５７３に接着剤５８が充填され、係合部材５６２についても枠支持部本体２０１に対して回動しないように頭部５６２ｂを接着される。この場合も、図１１に示すように充填剤受容部５７３が光軸方向の像側から見てマウント部材８の開口部８２の径方向内側に位置し、マウント部材８の開口部８２から充填剤受容部５７３に接着剤５８を充填できる。
【０１０２】
次に、第２実施形態のレンズ鏡胴１００について、図１３、図１４に基いて説明する。第２実施形態のレンズ鏡胴１００は、先の第１実施形態と同様に、枠体保持部材１０２、２０と、カム筒３と、マウント部材（取付部材）８と、カバー部材９と、レンズ群１５１〜１５４を保持したレンズ群保持枠１０５ａ〜１０５ｄとを備えている。カム筒３とマウント部材８とカバー部材９とは、先の第１実施形態のものと同構成を採っている。
【０１０３】
枠体保持部材は、先の第１実施形態と同様に保持部材本体１０２と枠支持部２０とを備えているが、この第２実施形態の保持部材本体１０２は、１つの筒状の固定筒１２１と、その固定筒１２１に光軸方向に移動可能に保持された筒状の移動枠１２２とを備えたものからなる。
【０１０４】
移動枠１２２は、先の第１実施形態の第２レンズ群保持枠５ｂと同様に、外周に、固定筒１２１のガイド溝１２１２及びカム筒３のカム溝３１に移動可能に入れられた案内軸５２１を備え、この案内軸５２１がカム筒３の回動に伴ってガイド溝１２１２及びカム溝３１に沿って案内移動させられることにより移動枠１２２が光軸方向に移動する。
【０１０５】
より詳しくは、カム筒３は、先の第１実施形態のものと同様に、マニュアル操作部材３３とオートフォーカス操作部材３４と出力リング３５とを備えた回動操作部材によって、カム筒３が回動操作され、そのカム筒３の回動に伴い、移動枠１２２が光軸方向に移動する。尚、マニュアル操作部材３３とオートフォーカス操作部材３４と出力リング３５とは、先の第１実施形態のものと同構成を採っている。
【０１０６】
又、移動枠１２２は、軸方向における像側の端面に、枠支持部２０を取り付ける枠取付部１２２１を備えている。枠取付部１２２１は、この実施形態では、取付ボルト２２２が螺合するネジ孔からなる。そして、この枠取付部１２２１に、枠支持部２０が取付ボルト２２２を介して取り付けられている。従って、先の第１実施形態では、枠支持部２０は、固定筒に固定的に取り付けられていたが、この第２実施形態では、枠支持部２０は、移動枠１２２に固定的に取り付けられている。
【０１０７】
第１レンズ群保持枠１０５ａは、１又は複数のレンズ（光学素子）を有する第１レンズ群１５１を保持し、固定筒１２１に固定的に保持されている。
【０１０８】
第２レンズ群保持枠１０５ｂは、１又は複数のレンズ（光学素子）を有する第２レンズ群１５２を保持し、固定筒１２１に固定的に保持されている。
【０１０９】
第３レンズ群保持枠１０５ｃは、１又は複数のレンズを有する第３レンズ群１５３を保持し、移動枠１２２に固定的に保持されている。
【０１１０】
第４レンズ群保持枠（枠体）１０５ｄは、１又は複数のレンズを有する第４レンズ群１５４を保持した筒状の枠本体部１５５と、第４レンズ群１５４の光軸方向の傾き及び光軸方向の位置を調整する調整部１５６を備えている。枠本体部１５５と調整部１５６とは、先の第１実施形態のものと同構成を採っている。
【０１１１】
尚、この実施形態の移動枠１２２は、円筒体から構成されたが、この形態のものに限らず、適宜変更できる。例えば図１４に示すように、移動枠１２２ａは、板状環状体のものでもよい。
【０１１２】
又、この実施形態の移動枠１２２は、３つの案内軸５２１によって移動可能に保持されているが、この形態のものに限らず、例えばヘリコイド等によって移動可能に保持されてもよく、適宜変更できる。
【符号の説明】
【０１１３】
１、１００    レンズ鏡胴
２    固定筒（保持部材本体）
３    カム筒
８    マウント部材（取付部材）
９    カバー部材
５ａ    第１レンズ群保持枠
５ｂ    第２レンズ群保持枠
５ｃ    第３レンズ群保持枠
５ｄ    第４レンズ群保持枠（枠体）
２０    枠支持部
５５    枠本体部
５６、１５６    調整部
１０２    保持部材本体
１２１    固定筒
１２２、１２２ａ    移動枠
２０１    枠支持部本体
２０１ａ    ネジ孔（被係合部）
２０２    本体取付片（本体取付部）
２０３    連結部
５６１    係合部材保持部
５６２    係合部材
５６３    付勢部材
【図１】
0006447159.tif 000002
【図２】
0006447159.tif 000003
【図３】
0006447159.tif 000004
【図４】
0006447159.tif 000005
【図５】
0006447159.tif 000006
【図６】
0006447159.tif 000007
【図７】
0006447159.tif 000008
【図８】
0006447159.tif 000009
【図９】
0006447159.tif 000010
【図１０】
0006447159.tif 000011
【図１１】
0006447159.tif 000012
【図１２】
0006447159.tif 000013
【図１３】
0006447159.tif 000014
【図１４】
0006447159.tif 000015